(57)【要約】【目的】  部屋の隅のスペースを効率的に利用することができ、室内の家具との違和感を生じさせない安価な避難用ボックスを提供する。【構成】  方形の１つの角をその対角線を横切る方向に裁断して水平断面が５角形の天井および底面と５個の壁面を有する中空体を成形し、この裁断面に相当する壁面または壁面の一部を扉とする。【選択図】図１
2005080793.tif 000002
【特許請求の範囲】
【請求項１】
方形の１つの角をその対角線を横切る方向に裁断した水平断面が五角形の天井と底面および５個の壁面からなり、裁断面に相当する壁面、または壁面の一部に施錠機構が設けられた扉を設けることを特徴とする避難用ボックス。
【請求項２】
方形の１つの角をその対角線を横切る方向に曲面状に裁断した水平断面からなる天井と底面および５個の壁面からなり、裁断面に相当する壁面、または壁面の一部に施錠機構が設けられた扉を設けることを特徴とする避難用ボックス。
【請求項３】
扉とその両側の壁面および天井が耐衝撃性部材で形成されていることを特徴とする請求項１または２に記載の避難用ボックス。
【請求項４】
耐衝撃性部材としてポリカーボネート樹脂板を使用することを特徴とする請求項１ないし３のいずれかに記載の避難用ボックス。
【請求項５】
壁面を構成する部材の内部に遮音層および／または壁面内側に吸音層が設けられていることを特徴とする請求項１ないし４のいずれかに記載の避難用ボックス。
【請求項６】
扉にハーフミラーおよび耐衝撃性樹脂板で補強された覗き窓が設けられていることを特徴とする請求項１ないし５のいずれかに記載の避難用ボックス。
【請求項７】
内部壁面に腰掛け用の突起部または折りたたみ椅子が設けられていることを特徴とする請求項１ないし６のいずれかに記載の避難用ボックス。
【請求項８】
内部に外部への非常用通報装置が設けられていることを特徴とする請求項１ないし７のいずれかに記載の避難用ボックス。
【発明の詳細な説明】
【技術分野】
【０００１】
この出願の発明は、住宅用の避難ボックスに関するものである。さらに詳しくは、この出願の発明は、侵入の連絡を受けた警備員や警察官が到着するまでの間に家族が避難するための避難用ボックスに関するものである。
【背景技術】
【０００２】
近年、わが国においても犯罪の凶悪化は顕著であり、金品目的の侵入盗であっても殺傷事件に発展する事例が多発している。一方、警察の検挙率の急速な低下に見られるように犯罪の対応は限界がきている。しかしながら、わが国ではこのような凶悪な犯罪者の侵入に対する防御策は遅れており、住宅の防犯設備としては二重錠、防犯ガラスの設置、侵入感知アラーム等を設ける程度のものが利用されているに過ぎない。また、小型商店においても、コンビニエンスストア等において、強盗などに対処するために一時的に避難するための簡易シェルター等が開発されているにすぎない（特許文献１、２）。
【０００３】
一方、海外の犯罪先進国ではこのような犯罪に対する防御策として、部屋そのものを避難所にしたり、独立したボックスタイプの避難所を設ける、いわゆるセーフルームやパニックルームと一般に呼ばれているシェルターが採用されている。このシェルターは頑丈にできており、一旦このシェルターに入ると外からの攻撃に対しては安全である。
【０００４】
たとえば、図１２に示されているものは、外国の広い部屋で家具（８）に隣接して設置された避難用ボックス（１）の態様を示す平面図である。この避難用ボックス（１）は金庫のように周囲を金属等の頑丈な材料で成形された壁面（５ａ〜５ｃ）と開閉できる扉（４）からなっており、一時凌ぎの避難用スペースとしては優れたものとされている。
【特許文献１】特開平７−１４５６８６号公報
【特許文献２】特開２００１−２５４５７１号公報
【発明の開示】
【発明が解決しようとする課題】
【０００５】
しかしながら、外国で使用されている避難用ボックス（１）は、外国の大きな邸宅に設置することを前提に設計されているため、日本の住宅では大きすぎる場合が多い。しかも避難用ボックス（１）の構造は図１２に示されているように立方体の側面の一面が扉（４）として利用されているため扉（４）を開閉し人が出入りするためのスペースが必要であり、部屋の空間を有効利用しているとは言い難い。それに、海外で使用されている金庫を大きくしたような避難用ボックス（１）は、わが国の住宅に置くには室内インテリア的にも違和感がある。また、特許文献１および２に図示されているような小型商店用のシェルターは、瞬時に身を隠す程度の避難を目的とするものであり、このようなシェルターを、場合によっては長時間避難するような状況も想定される住宅用として使用するには無理がある。
【０００６】
たとえば、しゃがむような不自然な姿勢を余儀なくさせられる構造では老人や子供がいる家族のシェルターとしては好ましいものとは言い難い。
【０００７】
そこで、以上のとおりの事情に鑑み、この出願の発明は家庭における老人や小さな子供たちの身の安全を確保して長時間の避難にも対処でき、部屋のスペースを効率的に利用でき、しかも周囲の家具と調和する新しい避難用ボックスを提供することを課題としている。
【課題を解決するための手段】
【０００８】
この出願の発明は、上記の課題を解決するものとして、第１には、方形の１つの角をその対角線を横切る方向に裁断した水平断面が五角形の天井と底面および５個の壁面からなり、裁断面に相当する壁面、または壁面の一部に施錠機構が設けられた扉を設けた避難用ボックスを提供する。
【０００９】
第２には、方形の１つの角をその対角線を横切る方向に曲面状に裁断した水平断面からなる天井と底面および５個の壁面からなり、裁断面に相当する壁面、または壁面の一部に施錠機構が設けられた扉を設けた避難用ボックスを提供する。
【００１０】
第３には、扉とその両側の壁面および天井が耐衝撃性部材で形成されている上記の避難用ボックスを提供する。
【００１１】
第４には、耐衝撃性部材としてポリカーボネート樹脂板を使用する上記の避難用ボックスを提供する。
【００１２】
第５には、壁面を構成する部材の内部に遮音層および／または壁面内側に吸音層が設けられている上記の避難用ボックスを提供する。
【００１３】
第６には、扉にハーフミラーおよび耐衝撃性樹脂板で補強された覗き窓が設けられている上記の避難用ボックスを提供する。
【００１４】
第７には、内部壁面に腰掛け用の突起部または折りたたみ椅子が設けられている上記の避難用ボックスを提供する。
【００１５】
第８には、内部に外部への非常用通報装置が設けられている上記の避難用ボックスを提供する。
【発明の効果】
【００１６】
上記第１の発明によれば、部屋の家具と調和して違和感がなく、スペース効率の良い避難用ボックスを実現することができる。
【００１７】
上記第２の発明によれば、上記第１の避難用ボックスと同様な効果が得られ、さらに扉への外部からの衝撃に対する強度を向上させ、また避難用ボックス内のスペースにゆとりをもたらすことができる。
【００１８】
上記第３の発明によれば、上記第１および第２の避難用ボックスと同様な効果が得られ、さらに耐衝撃性を向上させることができる。
【００１９】
上記第４の発明によれば、上記第１〜第３の避難用ボックスと同様な効果が得られ、さらに軽量で耐衝撃性および装飾性に優れたものを提供できる。
【００２０】
上記第５の発明よれば、上記第１〜第４の避難用ボックスと同様な効果が得られ、さらに音を遮断して恐怖心を少なくすることができる。
【００２１】
上記第６の発明によれば、上記第１〜第５の避難用ボックスと同様な効果が得られ、さらに外の様子を見ることができて閉所恐怖を抑制することができる。
【００２２】
上記第７の発明によれば、上記第１〜第６の避難用ボックスと同様な効果が得られ、さらに軽く腰をかけることができ老人や幼児を抱えた母親が楽な体勢になることができる。
【００２３】
上記第８の発明によれば、上記第１〜第６の避難用ボックスと同様な効果が得られ、さらに外部に援助の依頼をすることができる。
【発明を実施するための最良の形態】
【００２４】
どのように工夫された防犯設備を整えても侵入を完全に防止することは不可能とされている。また、たとえ通報システムで連結されたホームセキュリティと呼ばれる警備会社と契約しても、異常通報があって警備員が駆けつけるまでに１０分程度の時間が必要とされており、その間に犯罪者から危害を加えられる恐れがある。
【００２５】
この出願の発明は異常を感じ警備員等の助けが来るまでの間に退避して危害から身を守ることのできる避難用スペースを提供するものである。
【００２６】
この出願の発明の態様を図１〜１１に従って詳細に説明すると、まず、図１はこの出願の発明の典型的な避難用ボックス（１）の斜視図である。この避難用ボックス（１）は大体２〜５人程度が入れる広さと、背の高い人でも楽に入れるように１８０〜２００ｃｍ程度の高さに設計されている。そして、この避難用ボックス（１）は簡単に動かしたり、倒したりすることが出来ないように床または壁に固定されている。
この避難用ボックス（１）の水平断面は、方形の１つの角を対角線を横切る方向に裁断した五角形を基本としている。
【００２７】
なお、この時の方形とは正方形であっても、長方形であっても良いが４つの角は部屋の隅や側面の家具等と効率的に配置できるように、ほぼ直角であることが必要である。
【００２８】
図１で五角形の天井（２）と底面（３）、それに４つの壁面（５ａ）、（５ｂ）、（５ｃ）、
（５ｄ）および１つの扉（４）から構成されている。
【００２９】
この出願の発明で重要なことは、裁断面に相当する壁面またはその一部を扉（４）とし、この扉（４）には、覗き窓（１５）が設けられている。また、この扉（４）の対向する壁面（５ａ）（５ｂ）は直角に結合されているため部屋の隅に効率的に設置できる。また、扉（４）やその両側の壁面（５ｃ）（５ｄ）および天井（２）、いわゆる図７に示されている部屋の壁（９）や床に面していない部分は侵入者による殴打によって破壊されないのは勿論、場合によっては銃撃にも耐えるように耐衝撃性材で形成することが必要である。
【００３０】
一方、扉（４）に対向する後側の両壁面（５ａ）（５ｂ）および底面（３）は部屋の壁
（９）や床に面しており耐衝撃強度は小さくてもよいため安価に製造することができる。
【００３１】
図２に耐衝撃部材としてポリカーボネート樹脂板をアルミニウム、鉄、鋼等からなる
金属フレーム（１６）に取付けて形成した壁（５ａ〜５ｄまたは５ｃ、５ｄ）、天井（２）と扉（４）を持った避難用ボックスを示す。衝撃強度が大きくて、しかも軽量であり一般住宅に置くのに適している。また、ポリカーボネート樹脂板の透明度は調整できるため侵入者から内部が見えないように不透明にすることができるし、子供が間違って入ってもすぐ分かるように透明にしても良い。色も幅広く選択できるのでインテリアにマッチした色を選ぶことができる。なお、避難用ボックス（１）の中には、軽く腰掛けることができる
程度の突起部や折りたたみ式の簡易椅子等を設けたり、また避難用ボックス（１）内部には外部への非常用通報装置を設ける。
【００３２】
この覗き窓（１５）はハーフミラーになっており、侵入者が室内の照明を点ければ、ミラー状態になり侵入者は避難用ボックス（１）内部を見ることができないが、避難用ボックス（１）内部からは外部が見えるので侵入者の動きを把握することができる。
【００３３】
避難用ボックス（１）の内部から部屋の様子が見えるので閉所恐怖症になることを防
止する作用もある。なお、覗き窓（１５）は必要に応じて、他の壁面に設けることもで
きる。外部から見える部分を不透明にする方法としては、不透明で耐衝撃性のある材料
を使用することもあるが、透明で耐衝撃性のある材料ならば、その外側に不透明な外装材を設けて他の家具と調和させることもできる。
【００３４】
図３は他の態様を示す避難用ボックス（１）の斜視図である。この図３で示されるも
のは図１の扉（４）が曲面を有している点で異なっている。扉（４）を曲面にすること
により前面からの衝撃に対して強度的にも優れ、また意匠的にも周囲の家具と調和する。
【００３５】
図４は避難用ボックス（１）の平面図である。壁面（５ａ）および（５ｂ）は直角と
なっているため部屋の隅に効率良く設置でき、扉（４）の開閉が自由になっている態様
を示している。そして、壁面（５ｃ）および（５ｄ）は家具の奥行きの幅と同じかやや
広い幅にして、あたかも家具の１種のようにし、扉（４）の開閉も容易にする。
【００３６】
図５および図６は異なった扉（４）の態様を示したものであり、図５は観音開きの扉
（４）であり、図６は金属等で成形されたアーチ式の扉（４）をレール（７）によって
スライドしながら開閉する方式を示したものである。
【００３７】
図７はこの出願の発明の避難用ボックス（１）を部屋の隅の壁（９）に沿わせ両側に家具（８）を置いた時の平面図である。図７からも明らかなように、この避難用ボックス（１）は部屋の隅に効率良く、しかも扉（４）を開閉するためのスペースを設けることなく設置することが可能となる。図８はその態様を示した斜視図であるが、図８に示されているように周囲の家具、たとえば和ダンスのように丈が短い家具（８）が隣接されている場合には、表面に壁面（５ｃ）（５ｄ）および天井（２）が表れるためこの表面に表れる壁面（５ｃ）（５ｄ）および天井（２）は耐衝撃性を大きくすることが必要となる。
【００３８】
図９および図１０は避難用ボックス（１）の壁面、特に表面に表れる壁面（５ｃ）（５
ｄ）および天井（２）の構造を示したものである。この壁面の強化構造には特に限定はないが、図９に見られるように２枚の鉄板（１０）の間に鉛シートや石膏ボード等の遮音層（１７）を設け、鉄板（１０）の外側に化粧板（１１）を貼り付け、その内面に硬質ウレタンやガラスウール等の吸音層（１２）を設けたものである。図１０は耐衝撃性部材として緩衝材（１４）で固定したポリカーボネート樹脂板（１３）を使用し、内面に吸音層（１２）を設けた態様を示したものである。
【００３９】
図１１は覗き窓（１５）の断面図であるが、透明性の高いアクリル樹脂板等に加工さ
れたハーフミラー（６）の内側に透明なポリカーボネート樹脂板（１３）等を設けたも
ので攻撃によってハーフミラー（６）が破壊されてもポリカーボネート樹脂板（１３）
によって必要な強度を保つことができる構造になっている。
【００４０】
成形されたハーフミラー（６）の内部を透明のポリカーボネート樹脂（１３）等で補強
された構造になっている。
【産業上の利用可能性】
【００４１】
以上詳しく説明した通り、この出願の発明によって、侵入の危険を感じた時、直ちに家族がその中に入って扉を閉じて侵入者からの攻撃を防ぐことができる住宅用として好適な小型の避難用ボックスを提供することができる。
【図面の簡単な説明】
【００４２】
【図１】避難用ボックスの斜視図である。
【図２】ポリカーボネートを使用した避難用ボックスの斜視図である
【図３】曲面の扉を有する避難用ボックスの斜視図である。
【図４】扉の開閉を示す避難用ボックスの平面図である。
【図５】観音開きの扉の開閉を示す避難用ボックスの平面図である。
【図６】スライド方式による扉の開閉を示す避難用ボックスの平面図である。
【図７】避難用ボックスを設置した状態を示す平面図である。
【図８】避難用ボックスを設置した状態を示す斜視図である。
【図９】避難用ボックスの前面および天井の壁の構造を示す断面図である。
【図１０】補強層としてポリカーボネートを使用した避難用ボックスの前面および天井の壁の他の構造を示す断面図である。
【図１１】覗き窓の断面図である。
【図１２】従来の避難用ボックスの扉の開閉を示す平面図である。
【符号の説明】
【００４３】
１  避難用ボックス
２  天井
３  底面
４  扉
５ａ  裏面壁面
５ｂ  裏面壁面
５ｃ  前面壁面
５ｄ  前面壁面
６  ハーフミラー
７  レール
８  家具
９  部屋の壁
１０  鉄板
１１  化粧板
１２  吸音層
１３  ポリカーボネート樹脂板
１４  緩衝材
１５  覗き窓
１６  金属フレーム
１７  遮音層
【図１】
2005080793.tif 000003
【図２】
2005080793.tif 000004
【図３】
2005080793.tif 000005
【図４】
2005080793.tif 000006
【図５】
2005080793.tif 000007
【図６】
2005080793.tif 000008
【図７】
2005080793.tif 000009
【図８】
2005080793.tif 000010
【図９】
2005080793.tif 000011
【図１０】
2005080793.tif 000012
【図１１】
2005080793.tif 000013
【図１２】
2005080793.tif 000014